【手続補正書】
【提出日】令和3年6月4日(2021.6.4)
【手続補正１】
【補正対象書類名】特許請求の範囲
【補正対象項目名】全文
【補正方法】変更
【補正の内容】
【特許請求の範囲】
【請求項１】
天然ガス供給流を処理する方法であって；
１種又は複数種の酸性ガス、１種又は複数種の炭化水素流体、及び１種又は複数種の非炭化水素流体を含む天然ガス供給流を受け取るステップと；
前記天然ガス供給流を膜モジュールに流通させるステップと；
前記膜モジュールで、前記１種又は複数種の酸性ガスの少なくとも一部を透過流に分離すると共に前記１種又は複数種の炭化水素流体の少なくとも一部を排除流に分離するステップと；
前記透過流を、蒸留カラムを有する硫化水素（Ｈ２Ｓ）蒸留ユニットに流通させるステップと；
前記Ｈ２Ｓ蒸留ユニットで、前記１種又は複数種の非炭化水素流体から前記１種又は複数種の酸性ガスを分離するステップと；
前記Ｈ２Ｓ蒸留ユニットにおいて、前記１種又は複数種の酸性ガスからＨ２Ｓ流を分離するステップと；
前記Ｈ２Ｓ流を硫黄回収ユニット（ＳＲＵ）に流通させるステップと；
前記１種又は複数種の酸性ガスのＨ２Ｓ希薄流を、蒸留カラムを有する二酸化炭素（ＣＯ２）蒸留ユニットに流通させるステップと；
前記ＣＯ２蒸留ユニットで、前記Ｈ２Ｓ希薄流からＣＯ２流を分離するステップと；を備える、
方法。
【請求項２】
前記膜モジュールと前記Ｈ２Ｓ蒸留ユニットとの間に流体的に配置された圧縮機を通して前記透過流を流通させるステップと；
前記排除流をアミンユニットに流通させるステップと；をさらに備える、
請求項１に記載の方法。
【請求項３】
前記排除流中の前記１種又は複数種の炭化水素流体を、前記アミンユニット中の前記１種又は複数種の酸性ガスの別の部分から分離するステップと；
前記１種又は複数種の炭化水素流体をセールスガスパイプラインに流通させるステップ、及び前記１種又は複数種の酸性ガスの前記別の部分を前記ＳＲＵに流通させるステップと；をさらに備える、
請求項２に記載の方法。
【請求項４】
前記膜モジュールが、ポリイミド（ＰＩ）膜、酢酸セルロース（ＣＡ）膜、及び非晶質パーフルオロポリマー膜のうちの少なくとも１つを含む酸性ガス選択膜を備える、
請求項１に記載の方法。
【請求項５】
前記ＣＯ２蒸留ユニットが、前記１種又は複数種の酸性ガスの前記一部を出力する底部出口と、前記１種又は複数種の非炭化水素流体を出力する頂部出口とを有し；
前記１種又は複数種の非炭化水素流体を発電ユニットに流通させるステップ及び前記１種又は複数種の酸性ガスの前記一部を前記ＳＲＵに流通させるステップと；
前記１種又は複数種の非炭化水素流体を、前記頂部出口とアミンユニットとの間に流体結合された第２の膜モジュールに流通させるステップと；をさらに備える、
請求項１に記載の方法。
【請求項６】
前記第２の膜モジュールが、ＰＩ膜、ＣＡ膜、及び非晶質パーフルオロポリマー膜のうちの少なくとも１つを含む別の酸性ガス選択膜を有する、
請求項５に記載の方法。
【請求項７】
前記第２の膜モジュールを用いて、前記１種又は複数種の非炭化水素流体に同伴された前記１種又は複数種の酸性ガスの別の部分を分離するステップと；
前記１種又は複数種の酸性ガスの分離された部分を前記ＳＲＵに流通させるステップ、及び前記１種又は複数種の非炭化水素流体を前記アミンユニット及び前記発電ユニットの少なくとも一方に流通させるステップと；
分離された前記１種又は複数種の非炭化水素流体を第３の膜モジュールに流通させるステップと；をさらに備える、
請求項５に記載の方法。
【請求項８】
前記第３の膜モジュールが、ＰＩヘリウム選択膜を含むヘリウム選択膜を有する、
請求項７に記載の方法。
【請求項９】
前記第３の膜モジュールを用いて前記１種又は複数種の非炭化水素流体からヘリウム流体を分離するステップと；
分離された前記ヘリウム流体を、前記第３の膜モジュールに流体結合されたヘリウム回収ユニット内で回収するステップと；をさらに備える、
請求項８に記載の方法。
【請求項１０】
前記ＣＯ２流を前記ＣＯ２蒸留ユニットから離れて流通させるステップ、及びＣＯ２希薄流を前記ＣＯ２蒸留ユニットから第２の膜モジュールに流通させるステップと；
前記第２の膜モジュールにおいて、ヘリウム流体の少なくとも一部を前記ＣＯ２希薄流から分離するステップと；
前記ヘリウム流体の一部を第３の膜モジュールに流通させるステップ、及びヘリウム希薄流を前記第２の膜モジュールから流通させるステップと；
前記ヘリウム流体の別の部分を、前記第３の膜モジュールにおいて分離するステップと；をさらに備える、
請求項１に記載の方法。
【請求項１１】
前記１種又は複数種の酸性ガスが、Ｈ２Ｓ及びＣＯ２のうちの少なくとも１つを含む、
請求項１に記載の方法。
【請求項１２】
１種又は複数種の酸性ガス、１種又は複数種の炭化水素流体、及び１種又は複数種の非炭化水素流体を含む天然ガス供給流を受け取るように配置された第１の膜モジュールであって、前記１種又は複数種の酸性ガスの少なくとも一部を透過流に分離すると共に前記１種又は複数種の炭化水素流体の少なくとも一部を排除流に分離するように構成された第１の膜モジュールと；
前記第１の膜モジュールと流体連通する蒸留カラムを有する硫化水素（Ｈ２Ｓ）蒸留ユニットと；
制御システムであって、
前記天然ガス供給流を前記第１の膜モジュールに流通させることと；
前記第１の膜モジュールによって分離された前記透過流を前記Ｈ２Ｓ蒸留ユニットに流通させることと；
前記Ｈ２Ｓ蒸留ユニットを操作して、前記Ｈ２Ｓ蒸留ユニットにおいて、前記１種又は複数種の酸性ガスを前記１種又は複数種の非炭化水素流体から分離することと；
前記Ｈ２Ｓ蒸留ユニットを操作して、前記１種又は複数種の酸性ガスからＨ２Ｓ流を分離することと；
前記Ｈ２Ｓ流を硫黄回収ユニット（ＳＲＵ）に流通させることと；
前記１種又は複数種の酸性ガスのＨ２Ｓ希薄流を、蒸留カラムを有する二酸化炭素（ＣＯ２）蒸留ユニットに流通させることと；
前記ＣＯ２蒸留ユニットを操作して、前記Ｈ２Ｓ希薄流からＣＯ２流を分離することと；を含む動作を実行するように構成された制御システムと；を備える、
天然ガス処理システム。
【請求項１３】
前記制御システムが、
前記第１の膜モジュールと前記Ｈ２Ｓ蒸留ユニットとの間に流体的に配置された圧縮機を通して前記透過流を流通させることと；
前記排除流をアミンユニットに流通させることと；をさらに含む動作を実行するように構成された、
請求項１２に記載の天然ガス処理システム。
【請求項１４】
前記制御システムが、
前記排除流中の前記１種又は複数種の炭化水素流体を、アミンユニット中の前記１種又は複数種の酸性ガスの別の部分から分離することと；
前記１種又は複数種の炭化水素流体をセールスガスパイプラインに流通させることと；
前記１種又は複数種の酸性ガスの前記別の部分を前記ＳＲＵに流通させることと；をさらに含む動作を実行するように構成された、
請求項１２に記載の天然ガス処理システム。
【請求項１５】
前記第１の膜モジュールが、ポリイミド（ＰＩ）膜、酢酸セルロース（ＣＡ）膜、及び非晶質パーフルオロポリマー膜のうちの少なくとも１つを含む酸性ガス選択膜を備える、
請求項１２に記載の天然ガス処理システム。
【請求項１６】
前記ＣＯ２蒸留ユニットが底部出口及び頂部出口を有し、前記制御システムが、
前記底部出口から前記１種又は複数種の酸性ガスの前記一部を流通させることと；
前記頂部出口から前記１種又は複数種の非炭化水素流体を流通させることと；
前記１種又は複数種の非炭化水素流体を発電ユニットに流通させることと；
前記１種又は複数種の酸性ガスの前記一部を前記ＳＲＵに流通させることと；
前記頂部出口と前記アミンユニットとの間に流体結合された第２の膜モジュールに前記１種又は複数種の非炭化水素流体を流通させることと；をさらに含む動作を実行するように構成された、
請求項１２に記載の天然ガス処理システム。
【請求項１７】
第２の膜モジュールが、ＰＩ膜、ＣＡ膜、及び非晶質パーフルオロポリマー膜のうちの少なくとも１つを含む別の酸性ガス選択膜を含む。
請求項１６に記載の天然ガス処理システム。
【請求項１８】
前記制御システムが、
前記第２の膜モジュールを動作させて、前記１種又は複数種の非炭化水素流体に同伴された前記１種又は複数種の酸性ガスの別の部分を分離することと；
前記１種又は複数種の酸性ガスの分離された部分を前記ＳＲＵに流通させることと；
前記１種又は複数種の非炭化水素流体を前記アミンユニット及び前記発電ユニットの少なくとも一方に流通させることと；
分離された前記１種又は複数種の非炭化水素流体を第３の膜モジュールに流通させることと；をさらに含む動作を実行するように構成された、
請求項１６に記載の天然ガス処理システム。
【請求項１９】
前記第３の膜モジュールが、ＰＩヘリウム選択膜を含むヘリウム選択膜を有する、
請求項１８に記載の天然ガス処理システム。
【請求項２０】
前記制御システムが、
前記第３の膜モジュールを動作させて、前記第３の膜モジュールを用いて、前記１種又は複数種の非炭化水素流体からヘリウム流体を分離することと；
分離された前記ヘリウム流体を、前記第３の膜モジュールに流体結合されたヘリウム回収ユニット内で回収することと；をさらに含む動作を実行するように構成された、
請求項１９に記載の天然ガス処理システム。
【請求項２１】
前記制御システムが、
前記ＣＯ２流を前記ＣＯ２蒸留ユニットから離れて流通させることと；
ＣＯ２希薄流を前記ＣＯ２蒸留ユニットから第２の膜モジュールに流通させることと；
第２の膜モジュールを作動させて、ヘリウム流体の少なくとも一部を前記ＣＯ２希薄流から分離することと；
前記ヘリウム流体の前記一部を第３の膜モジュールに流通させることと；
ヘリウム希薄流を前記第２の膜モジュールから流通させることと；
前記第３の膜モジュールを作動させて、前記ヘリウム流体の別の部分を分離することと；をさらに含む動作を実行するように構成された、
請求項１２に記載の天然ガス処理システム。
【請求項２２】
前記１種又は複数種の酸性ガスが、Ｈ２Ｓ及びＣＯ２のうちの少なくとも１つを含む、
請求項１２に記載の天然ガス処理システム。